【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
ドライバを含む光学信号モジュールであって、前記モジュールは、
ドライバを含み、前記ドライバは、第１の入力信号を受信するように構成された第１のトランジスタと、第２の入力信号を受信するように構成された第２のトランジスタとを含む差動対を含み、前記第１の入力信号および前記第２の入力信号は差動入力信号であり、前記差動対は、前記第１の入力信号および前記第２の入力信号に応答して第１の駆動信号および第２の駆動信号を供給するように構成され、前記モジュールはさらに、
前記差動対に変調電流を提供する変調電流源と、
前記差動対に接続された１つ以上の終端素子と、
第１の制御信号に応答する、第１の端子および第２の端子を有する第１のスイッチとを含み、前記第１の端子は前記１つ以上の終端素子のうちの少なくとも１つに接続され、前記モジュールはさらに、
前記第１のスイッチの前記第２の端子および供給電圧ノードに接続された電荷蓄積装置と、
前記供給電圧ノードとバイアス電流ノードとの間に配置された光学信号生成器を含む光学信号モジュールとを含み、前記光学信号生成器は前記第１の駆動信号および第２の駆動信号を受信して、前記第１の入力信号および前記第２の入力信号を表わす光学信号を生成し、前記モジュールはさらに、
供給電圧ノードと前記バイアス電流ノードとの間に構成された第２のスイッチを含み、前記第２のスイッチは第２の制御信号に応答して、前記供給電圧ノードと前記バイアス電流ノードとの間に短絡を確立するように構成されている、光学信号モジュール。
【請求項２】
前記光学信号生成器と前記供給電圧ノードとの間に位置する第１のインダクタと、前記光学信号生成器と前記バイアス電流ノードとの間に位置する第２のインダクタとをさらに含む、請求項１に記載のモジュール。
【請求項３】
前記光学信号生成器はレーザダイオードである、請求項１に記載のモジュール。
【請求項４】
前記第１の制御信号および第２の制御信号は、バーストオン信号またはバーストオフ信号に応答して、コントローラによって生成される、請求項１に記載のモジュール。
【請求項５】
バーストオン信号に応答して、前記第２の制御信号は前記第２のスイッチを開き、その後、前記第１の制御信号は前記第１のスイッチを閉じる、請求項４に記載のモジュール。
【請求項６】
バーストオフ信号に応答して、前記第１の制御信号は第１のスイッチを開き、それにより前記電荷蓄積装置上の電荷を維持し、その後、前記第２の制御信号は前記第２のスイッチを閉じる、請求項５に記載のモジュール。
【請求項７】
前記電荷蓄積装置はキャパシタである、請求項１に記載のモジュール。
【請求項８】
前記終端素子のうちの１つと前記差動対との間に位置するカスケードトランジスタをさらに含む、請求項１に記載のモジュール。
【請求項９】
ドライバを含む光学信号生成器モジュールであって、前記モジュールは、
駆動信号を生成するために少なくとも１つの入力信号を処理するように構成されたドライバと、
供給電圧ノードと前記ドライバとの間に位置する第１のスイッチとを含み、前記第１のスイッチは第１の制御信号に応答し、前記モジュールはさらに、
前記供給電圧ノードと前記第１のスイッチとの間に位置する電荷蓄積装置と、
前記駆動信号を受信し、前記駆動信号に応答して光学信号を生成する光学信号生成器と、
前記光学信号生成器に関連付けられた第２のスイッチとを含み、前記第２のスイッチは第２の制御信号に応答して、前記第２のスイッチを通して前記光学信号生成器の両端の電圧を選択的に短絡し、前記モジュールはさらに、
前記ドライバを前記光学信号生成器とインピーダンス整合させるために選択された１つ以上の終端素子を含み、前記１つ以上の終端素子は、前記供給電圧ノードとドライバミラーとの間に位置する、光学信号生成器モジュール。
【請求項１０】
前記少なくとも１つの入力信号は差動入力信号である、請求項９に記載の光学信号生成器モジュール。
【請求項１１】
前記電荷蓄積装置はキャパシタを含む、請求項９に記載の光学信号生成器モジュール。
【請求項１２】
前記光学信号生成器がアクティブである場合には前記第１のスイッチが閉じられるとともに前記第２のスイッチが開かれ、前記光学信号生成器が非アクティブである場合には前記第１のスイッチが開かれるとともに前記第２のスイッチが閉じられるように、前記第１の制御信号および前記第２の制御信号を生成するように構成されたコントローラをさらに含む、請求項９に記載の光学信号生成器モジュール。
【請求項１３】
前記光学信号生成器がアクティブ状態に遷移している場合には前記第１のスイッチが閉じられる前に前記第２のスイッチが開かれ、前記光学信号生成器が非アクティブ状態に遷移している場合には前記第２のスイッチが閉じられる前に前記第１のスイッチが開かれる、請求項１２に記載の光学信号生成器モジュール。
【請求項１４】
ドライバを用いて光学信号生成器を駆動するための方法であって、
少なくとも１つの入力信号を増幅するように構成されたドライバと、
抵抗と直列の第１のスイッチング素子とを提供するステップを含み、前記第１のスイッチング素子は供給電圧ノードと前記ドライバとの間に位置し、前記第１のスイッチング素子は活性化制御信号および非活性化制御信号に応答し、前記方法はさらに、
前記供給電圧ノードと前記第１のスイッチング素子との間に位置する電荷蓄積装置と、
駆動信号を受信し、前記駆動信号に応答して光学信号を生成する光学信号生成器と、
前記光学信号生成器に関連付けられた第２のスイッチング素子とを提供するステップを含み、前記第２のスイッチング素子は前記活性化制御信号および前記非活性化制御信号に応答して、前記第２のスイッチング素子を通して前記光学信号生成器の両端の電圧を選択的に短絡し、前記方法はさらに、
１つ以上の入力信号を受信するステップと、
供給電圧ノードから供給電圧を受信するステップと、
前記光学信号生成器のための送信期間を開始するために活性化信号を受信するステップと、
前記活性化信号に応答して前記活性化制御信号を生成するステップと、
前記第２のスイッチング素子を開くために、前記第２のスイッチング素子に前記活性化制御信号を提供するステップと、
前記第１のスイッチング素子を閉じるために、前記第１のスイッチング素子に前記活性化制御信号を提供するステップと、
前記入力信号を表わす駆動信号を生成するために、前記ドライバを用いて前記入力信号を増幅するステップと、
前記光学信号生成器のための送信期間を終了するために非活性化信号を受信するステップと、
前記非活性化信号に応答して前記非活性化制御信号を生成するステップと、
前記第１のスイッチング素子を開くために、前記第１のスイッチング素子に前記非活性化制御信号を提供するステップと、
前記第２のスイッチング素子を閉じるために、前記第２のスイッチング素子に前記非活性化制御信号を提供するステップとを含む、方法。
【請求項１５】
送信期間を開始するための前記活性化信号は、バーストオン信号である、請求項１４に記載の方法。
【請求項１６】
前記活性化制御信号に応答して、前記第１のスイッチング素子が閉じられる前に前記第２のスイッチング素子が開かれる、請求項１４に記載の方法。
【請求項１７】
前記非活性化制御信号に応答して、前記第２のスイッチング素子が閉じられる前に前記第１のスイッチング素子が開かれる、請求項１４に記載の方法。
【請求項１８】
前記１つ以上の入力信号は、差動対として提示された２つの入力信号を含む、請求項１４に記載の方法。
【請求項１９】
１つ以上の終端素子を用いて前記ドライバを前記光学信号生成器にインピーダンス整合させるステップをさらに含み、前記１つ以上の終端素子は、前記第１のスイッチング素子および前記電荷蓄積装置と直列である、請求項１４に記載の方法。
【請求項２０】
前記第２のスイッチング素子を閉じることは、前記光学信号生成器の両端の電圧を短絡し、それにより光学信号生成を終了させ、前記第１のスイッチング素子を開くことは、前記光学信号生成器が光学信号を生成していない期間の間、前記電荷蓄積装置上の電荷を維持する、請求項１４に記載の方法。